(57)【要約】【課題】縦方向の圧縮に対する優れた強度を保ちつつ、貼着された粘着テープを容易に剥がすことができる段ボール箱の提供を目的とするものである。【解決手段】本考案は、それぞれ対向する二対の側壁２、３、４及び５を有する四角筒状部と、上記いずれか一対の側壁の各上縁から延出する略方形状の一対の上側外フラップ６及び７とを備える段ボール箱であって、上記一対の上側外フラップが、先端縁側の対向する一対の各頂点を含む領域に、破断誘導線で区切られた切離可能域６Ａ及び７Ａを有していることを特徴とする。【選択図】図１
0003160710.tif 000002
【実用新案登録請求の範囲】
【請求項１】
それぞれ対向する二対の側壁を有する四角筒状部と、
上記いずれか一対の側壁の各上縁から延出する略方形状の一対の上側外フラップと
を備える段ボール箱であって、
上記一対の上側外フラップが、先端縁側の対向する一対の各頂点を含む領域に、破断誘導線で区切られた切離可能域を有していることを特徴とする段ボール箱。
【請求項２】
上記破断誘導線が、先端縁と平行に側縁から設けられる第１破断誘導線、及び先端縁からこの第１破断誘導線と連結するように設けられる第２破断誘導線を有する請求項１に記載の段ボール箱。
【請求項３】
上記第１破断誘導線が、切込線分と非切込線分との繰り返しで形成されるミシン目線であり、
この切込線分の平均長さと非切込線分の平均長さとの比が、３：２以上１９：１以下である請求項２に記載の段ボール箱。
【請求項４】
上記第２破断誘導線が、切込線分と非切込線分との繰り返しで形成されるミシン目線である請求項２又は請求項３に記載の段ボール箱。
【請求項５】
上記各上側外フラップにおける切離可能域を有する側の側縁部分が、先端縁側から切離可能域の延出方向長さ以上の範囲まで切り欠かれている請求項２、請求項３又は請求項４に記載の段ボール箱。
【考案の詳細な説明】
【技術分野】
【０００１】
本考案は、段ボール箱に関し、詳細には、ＯＰＰテープ等の粘着テープを容易に剥がすことができる段ボール箱に関するものである。
【背景技術】
【０００２】
段ボール箱は、商品の梱包、出荷、輸送等から陳列までの間、複数の商品をまとめて収容する容器として、あるいは家電製品、鉢植え等の重量物商品を販売する際の包装容器として用いられている。段ボール箱は、あらかじめ下側のフラップを折り込み底部を形成した状態で、箱内部に商品等を収納した後、一対の上側内フラップと一対の上側外フラップとを順次折り込み、外側フラップ同士の突き合わせ部分から左右の側壁にかけて直線状に粘着テープ等を貼着することによって封緘するのが一般的である。
【０００３】
しかし、従来の段ボール箱の場合、この封緘された段ボール箱を開封するには、粘着テープの端部に爪をかけることなどによりテープの端部を起こしてテープを引きはがさなければならず、手間がかかる。特に、安価なため近年多用されているＯＰＰ（延伸ポリプロピレン）粘着テープは、強度に優れているため比較的薄く形成され、更にその接着力も高いことから、爪等をかけて粘着テープの端部を引き起こすことは容易ではない。
【０００４】
また、従来より、カッターナイフ等を用いて粘着テープを切断して段ボール箱を開封することも行われている。しかし、例えば、封緘状態の段ボール箱において、突き合わせ部分の外フラップと側壁との間の粘着テープを切っても、粘着テープの粘着力が強いと、結局、この部分から引き剥がすことは容易ではない。また、外フラップ同士の突き合わせ部分に沿って粘着テープを切る場合は、内容物を傷付けるおそれがあるため慎重な作業が必要となり、また、箱が大型化するほど切り剥がすのに時間がかかるなど、やはり不都合が伴う。
【０００５】
そこで、粘着テープを簡単に引き剥がすことができる段ボール箱として、貼着された粘着テープの端部が通常位置する側壁部分に切り込みを設けることで、段ボール箱の一部が切り離れる構造を有するものが提案されている（例えば特開２００７−８５２９号公報等参照）。この段ボール箱は、この切り離し部分と共に粘着テープを引き剥がすことによって、容易に粘着テープを引き剥がすことができるようにしたものである。しかし、このように段ボール箱の側壁に単に切り込みを入れた場合は、この切り込みが原因となって段ボール箱の縦方向の圧縮強度が低下するという不都合が発生する。段ボール箱は、重量物を大量に輸送する際に何段も積み重ねられることが多く、この縦方向の強度の低下は、商品物流においての大きな懸念事項である。そこで、切り込み部分を短くた段ボール箱も提案されている（例えば、特開２００４−１７５４５１号公報等参照）。しかし、この段ボール箱は、比較的この圧縮強度の低下を防ぐことはできるが、逆に切り込み部分から形成される切り離し部分を引っ張った場合においても、切り離し部分が容易に切り離されることが難しくなる。
【先行技術文献】
【特許文献】
【０００６】
【特許文献１】特開２００７−８５２９号公報
【特許文献２】特開２００４−１７５４５１号公報
【考案の概要】
【考案が解決しようとする課題】
【０００７】
本考案はこれらの不都合に鑑みてなされたものであり、縦方向の圧縮に対する優れた強度を保ちつつ、貼着された粘着テープを容易に剥がすことができる段ボール箱の提供を目的とするものである。
【課題を解決するための手段】
【０００８】
上記課題を解決するためになされた考案は、
それぞれ対向する二対の側壁を有する四角筒状部と、
上記いずれか一対の側壁の各上縁から延出する略方形状の一対の上側外フラップと
を備える段ボール箱であって、
上記一対の上側外フラップが、先端縁側の対向する一対の各頂点を含む領域に、破断誘導線で区切られた切離可能域を有していることを特徴とする。
【０００９】
通常、段ボール箱は、組み立てた状態における上側外フラップ同士の突き合わせ部分から左右の側壁にかけて粘着テープ等を貼着することによって封緘されている。そこで、当該段ボール箱は、通常粘着テープが貼着される部分である両上側外フラップの端部に、破断誘導線で区切られた切離可能域を設けている。従って、当該段ボール箱によれば、開封する際に、粘着テープにおける両上側外フラップ突き合わせ部分と側壁との間に貼着された部分を、カッターナイフ等で切断することのみで、後は容易に切離可能域と共に貼着された粘着テープを剥がすことができる。また、当該段ボール箱は、四角筒状部を形成する前後壁及び側壁には特段の切り込み等を設けていないため、縦方向の圧縮に対する高い強度を保つことができる。
【００１０】
上記破断誘導線が、先端縁と平行に側縁から設けられる第１破断誘導線、及び先端縁からこの第１破断誘導線と連結するように設けられる第２破断誘導線を有するとよい。当該段ボール箱によれば、先端縁と平行に側縁から設けられる第１破断誘導線を有することで通常の状態で貼られた粘着テープの引き剥がし方向と、この第１破断誘導線方向とが一致するため、切離可能域の切り離しに力を要せず、粘着テープをさらに容易に剥がすことができる。
【００１１】
上記第１破断誘導線が、切込線分と非切込線分との繰り返しで形成されるミシン目線であり、この切込線分の平均長さと非切込線分の平均長さとの比が、３：２以上１９：１以下であるとよい。第１破断誘導線を上述のような特定のミシン目線で形成することで、切離可能域の切り離しやすさと、段ボール箱の強度維持との両立を高いレベルで図ることができる。
【００１２】
上記第２破断誘導線も、切込線分と非切込線分との繰り返しで形成されるミシン目線であるとよい。当該段ボール箱によれば、第２破断誘導線もミシン目線で形成することで、さらに切離可能域の切り離しやすさと、強度維持とのより高いレベルでの両立を図ることができる。
【００１３】
当該段ボール箱は、上記各上側外フラップにおける切離可能域を有する側の側縁部分が先端縁側から切離可能域の延出方向長さ以上の範囲まで切り欠かれているとよい。当該段ボール箱が、切離可能域側の側縁部分にこのような切り欠きを有すると、段ボール箱に貼られた粘着テープにおける外フラップの突き合わせ部分と側壁との間を切りやすくなり、かつ、切った際に切離可能域を掴みやすくなるため、より容易に粘着テープを剥がすことができる。
【００１４】
本考案において、「破断誘導線」とは、所定の形状に沿って破断されるように切れ目が設けられた線をいう。
【考案の効果】
【００１５】
以上説明したように本考案の段ボール箱によれば、縦方向への優れた圧縮強度を保ちつつ、貼着された粘着テープを容易に剥がすことができる。
【図面の簡単な説明】
【００１６】
【図１】本考案の一実施形態に係る段ボール箱を示す展開図
【図２】図１の段ボール箱の段ボール紙を示す部分的断面図
【図３】図１の段ボール箱の上側外フラップの一部を示す部分的展開図
【図４】図１の段ボール箱の使用状態を示す斜視図
【図５】図１の段ボール箱の開封途中の第１の状態を示す斜視図
【図６】図１の段ボール箱の開封途中の第２の状態を示す斜視図
【図７】図１の段ボール箱とは異なる実施形態に係る段ボール箱の上側外フラップの一部を示す部分的展開図
【図８】図１及び図７の段ボール箱とは異なる実施形態に係る段ボール箱の上側外フラップの一部を示す部分的展開図
【図９】図１、図７及び図８の段ボール箱とは異なる実施形態に係る段ボール箱の上側外フラップの一部を示す部分的展開図
【考案を実施するための形態】
【００１７】
以下、適宜図面を参照しつつ、本考案の実施の形態を詳説する。
【００１８】
図１の展開図で示される段ボール箱１は、一枚の段ボール紙から組み立てられ、それぞれ対向する二対の側壁２、３、４及び５（段ボール箱１においてこの二対の側壁を、対向する前壁２及び後壁３と、対向する左右一対の側壁４及び５とする。）を有する四角筒状部と、上記前壁２及び後壁３の各上縁から延出する一対の上側外フラップ（上側外フラップ６及び上側外フラップ７）と、上記各側壁４及び５の各上縁から延出する一対の上側内フラップ（上側内フラップ８及び上側内フラップ９）と、上記前壁２及び後壁３の各下縁から延出する一対の下側外フラップ（下側外フラップ１０及び下側外フラップ１１）と、各側壁４及び５の各下縁から延出する一対の下側内フラップ（下側内フラップ１２及び下側内フラップ１３）とを備えている。
【００１９】
この段ボール箱１は、封緘状態で直方体形状に形成される。当該段ボール箱１のサイズとしては特に限定されず内容物である商品の大きさ等を考慮して適宜設定される。例えば段ボール箱１のサイズは、前壁２及び後壁３の幅４０ｃｍ、側壁４及び５の幅２５ｃｍ、これらの壁の高さ３５ｃｍ程度である。なお、図１の展開図中の細線は組み立ての際の折目線を示しており、これらの折目線には折り曲げを容易にするための罫線加工が施されていることが好ましい。
【００２０】
対向する前壁２と後壁３及び対向する一対の側壁４と側壁５とは、それぞれ同型及び同サイズの矩形形状を有し、これら４つの壁（前壁２、後壁３及び２つの側壁４、５）全てが等しい高さに形成されている。これらの４つの壁によって、直方体形状を有する四角筒状部が形成される。
【００２１】
展開図である図１において端に位置する前壁２は、側縁に糊代部１４を備えている。このように糊代部１４を備えていることで、当該段ボール箱箱１は、四角筒状部を形成する際に、前壁２の側縁と側壁５の側縁とが接するように糊代部１４を側壁５の内面に接着させることにより、四角筒状部を筒状に固定することができる。
【００２２】
当該段ボール箱１は、四角筒状部を形成した後、下側内フラップ１２及び１３を四角筒状部の内側に直角に折り込み、続けて下側外フラップ１０及び１１を四角筒状部の内側に直角に折り込むことで底を完成させることができる。この際、下側外フラップ１０及び１１の先端縁同士が突き合わされ、この突き合わせ部分から両側壁４及び５の下部にかけて粘着テープを貼着させることにより段ボール箱１の底が固定される。
【００２３】
段ボール箱１を形成する段ボール紙としては、強度の高さ及び加工成形の容易さの観点から、図２に示されるように、波形に形成された中芯１ａの表面側に積層される表ライナ１ｂ及び裏面側に積層される裏ライナ１ｃを備える両面段ボールが用いられている。この際、縦方向の圧力に対して特に高い強度を有するように、中芯１ａの波の尾根方向が四角筒状部（前壁２、後壁３及び側壁４、５）の縦方向となるように設計される。
【００２４】
また、両面段ボール紙としては、段の種類がＡ段、Ｂ段又はＣ段であり、ライナがＪＩＳ−Ｐ３９０２−１９９５に規定されるＡＡ級、Ａ級、Ｂ級又はＣ級であり、中しんがＪＩＳ−Ｐ３９０４−１９９４に規定されるＡ級、Ｂ級又はＣ級である両面段ボール紙が、反発力が強く、内容物の衝撃吸収性に優れる点で好ましい。
【００２５】
上側外フラップ６、７は、略矩形状を有している。また、一対の上側外フラップは、先端縁側の対向する一対の各頂点を含む領域に、破断誘導線で区切られた切離可能域を有している。具体的には、上側外フラップ６は、先端縁側の一頂点部分に破断誘導線６Ｌで囲まれた切離可能域６Ａを有している。また、上側外フラップ７は、先端縁側の２つの頂点部分のうち、組み立てた際に切離可能域６Ａと対向する側の頂点部分に、破断誘導線７Ｌで囲まれた切離可能域７Ａを有している。
【００２６】
当該段ボール箱１は、一般的な段ボール箱と同様、組み立てた際に、上側外フラップ６及び７同士の突き合わせ部分から左右の側壁４及び５にかけて粘着テープＴ等を貼着することによって封緘される（図４参照）。当該段ボール箱１は、このように、通常粘着テープＴが貼着される部分である両上側外フラップ６及び７の端部に、破断誘導線６Ｌ又は７Ｌで区切られた切離可能域６Ａ及び７Ａを設けている。従って、当該段ボール箱１によれば、後に詳述するように、開封する際に、粘着テープＴにおける両上側外フラップ６及び７の突き合わせ部分と側壁４との間に貼着された一部分Ｔ１を、カッターナイフ等で切断することのみで、後は容易に切離可能域６Ａ及び７Ａと共に貼着された粘着テープＴを剥がすことができる。また、当該段ボール箱１は、四角筒状部を形成する前壁２、後壁３並びに側壁４及び５には特段の切り込み等を設けていないため縦方向の圧縮に対する高い強度を保つことができる。
【００２７】
以下に、上記切離可能域について、具体的に説明する。なお、切離可能域６Ａと切離可能域７Ａとは、左右対称な形状であるため、切離可能域７Ａについて代表的に説明する。
【００２８】
図１及び詳細には図３に示されるように、切離可能域７Ａは、上側外フラップ７の先端縁側の頂点を含む領域に、破断誘導線７Ｌで区切られて形成されている。この破断誘導線７Ｌは、先端縁と平行に側縁から設けられる第１破断誘導線７Ｌ１、及び先端縁からこの第１誘導線７Ｌ１と連結するように設けられる第２破断誘導線７Ｌ２を有している。
【００２９】
当該段ボール箱１によれば、破断誘導線として先端縁と平行に設けられる第１破断誘導線７Ｌ１を有することで、通常の状態で貼られた粘着テープＴの引き剥がし方向と、この第１破断誘導線方向とが一致するため、切離可能域７Ａの切り離しに力を要せず、粘着テープＴをさらに容易に剥がすことができる。
【００３０】
切離可能域７Ａにおける上側外フラップ７の延出方向（Ｘ方向）の長さとしては、貼られる粘着テープＴ等の幅の１／２以上であることが好ましく、具体的には、１．５ｃｍ以上５ｃｍ以下が好ましく、２ｃｍ以上４ｃｍ以下がさらに好ましい。切離可能域７Ａの延出方向（Ｘ方向）の長さをこのように設けることで、切離可能域７Ａの切り離しとともに容易に粘着テープＴを引き剥がすことができる。
【００３１】
切離可能域７Ａにおける上側外フラップ７の延出方向と垂直方向（Ｙ方向）の長さとしては、１ｃｍ以上８ｃｍ以下が好ましく、２ｃｍ以上５ｃｍ以下がさらに好ましい。切離可能域７ＡのこのＹ方向の長さをこの範囲とすることで、切離可能域７Ａを粘着テープＴとともにより容易に切り離すことができる。切離可能域７ＡのＹ方向の長さが１ｃｍ未満の場合は、切離可能域７Ａを摘みにくくなるため、粘着テープをはがしにくくなるおそれがある。逆に、切離可能域７ＡのＹ方向の長さが８ｃｍを超えると、切離可能域７Ａの長さ及び面積が大きすぎるために、この切離可能域７Ａ及びこれとともに剥がされるべき粘着テープＴをはがしにくくなるおそれがある。ここで、切離可能域の延出方向と垂直方向（Ｙ方向）の長さは、上側外フラップが切り欠かれている場合は、切り欠かかれた状態の端からの長さをいう。
【００３２】
第１破断誘導線７Ｌ１は、切込線分Ｌａと非切込線分Ｌｂとの繰り返しで形成されるミシン目線である。この切込線分Ｌａの平均長さと、非切込線分Ｌｂの平均長さとの比としては特に限定されないが、３：２以上１９：１以下が好ましく、７：３以上９：１以下がさらに好ましい。第１破断誘導線７Ｌ１をこのような特定のミシン目線で形成することで、切離可能域７Ａの切り離しやすさと、段ボール箱１の強度維持との高いレベルでの両立を図ることができる。切込線分Ｌａの平均長さと非切込線分Ｌｂの平均長さとの比が３：２未満の場合は、第１破断誘導線７Ｌ１において非切込線分Ｌｂの占める割合が高まり、切離可能域７Ａの切り離しに、ある程度の力が必要となるため、切離可能域７Ａを切り離しにくくなる場合がある。逆に、切込線分Ｌａの平均長さと非切込線分Ｌｂの平均長さとの比が１９：１を超える場合は、切離可能域７Ａの強度が低下し、例えば、組み立て前の状態や、組み立て中において、切離可能域７Ａの一部が切り離れてしまうおそれがある。
【００３３】
ここで、切込線分及び非切込線分の長さが表側と裏側とで異なる場合は、各切込線分又は非切込線分の一本ずつにおける表側の長さと裏側の長さとの平均を切込線分又は非切込線分の長さとする。
【００３４】
第２破断誘導線７Ｌ２も、切込線分と非切込線分との繰り返しで形成されるミシン目線である。この切込線分の平均長さと、非切込線分の平均長さとの比としては特に限定されないが、第１破断誘導線７Ｌ１と同様に、３：２以上１９：１以下が好ましく、７：３以上９：１以下がさらに好ましい。第２破断誘導線７Ｌ２をこのようなミシン目線で形成することで、切離可能域７Ａの切り離しやすさと、段ボール箱１の強度維持との高いレベルでの両立を図ることができる。切込線分の平均長さと非切込線分の平均長さとの比が３：２未満の場合は、第２破断誘導線７Ｌ２において非切込線分の占める割合が高まり、切離可能域７Ａの切り離しに、ある程度の力が必要となるため、切離可能域７Ａを切り離しにくくなる場合がある。逆に、切込線分の平均長さと非切込線分の平均長さとの比が１９：１を超える場合は、切離可能域７Ａの強度が低下し、例えば、組み立て前の状態や、組み立て中において、切離可能域７Ａの一部が切り離れてしまうおそれがある。
【００３５】
上側外フラップ６及び７において、切離可能域６Ａ及び７Ａを有する側の側縁部分は、先端縁側から切離可能域の延出方向長さ（Ｘ方向）以上の範囲まで切り欠かれている。当該段ボール箱１が、切離可能域側の側縁部分にこのような切り欠き６Ｂ及び７Ｂを有すると、段ボール箱１に貼られた粘着テープＴにおける外フラップの突き合わせ部分と側壁との間を切りやすくなり、かつ、切った際に切離可能域を掴みやすくなるため、より容易に粘着テープを剥がすことができる。
【００３６】
この切り欠き６Ｂ及び７Ｂも対称形状であるため、切り欠き７Ｂについて代表的に図３に基づいて詳説する。
【００３７】
切り欠き７Ｂは略帯状形状を有している。この切り欠き７Ｂの幅（上側外フラップ７における延出方向と垂直方向（Ｙ方向）の長さ）としては、特に限定されないが、５ｍｍ以上２ｃｍ以下程度である。切り欠き７Ｂの幅が５ｍｍ未満の場合は、貼られた粘着テープＴの切りやすさの向上及び切離可能域の掴みやすさの向上という効果が十分に現れない場合がある。逆に、切り欠き７Ｂの幅が２ｃｍを超えると、この切り欠き７Ｂによって上側外フラップ７に大きな隙間が生じることとなり、段ボール箱１の包装・梱包性が低下したり、強度が低下するおそれがある。
【００３８】
切り欠き７Ｂの長さ（上側外フラップ７における延出方向（Ｘ方向）の長さ）は、切離可能域７Ａの上下方向（Ｘ方向）の長さ以上、上側外フラップ７の上下方向（Ｘ方向）の長さ未満であるが、具体的には、５ｃｍ以上１０ｃｍ以下程度である。
【００３９】
次に、本段ボール箱１の使用方法について説明する。
【００４０】
当該段ボール箱１は、図４に示されるように、通常の段ボール箱と同様に、あらかじめ底部を形成した状態で、箱内部に商品等を収納した後、一対の上側内フラップ８及び９と一対の上側外フラップ６及び７を順次折り込み、上側外フラップ６及び７の突き合わせ部分から側壁４及び５の上部にかけて粘着テープＴを貼着することによって封緘される。
【００４１】
切離可能域６Ａ及び７Ａは、一対の上側外フラップ６及び７の上縁側の対向する一対の各頂点を含む領域に設けられているため、図４に示されるように、粘着テープＴが切離可能域６Ａ及び７Ａの上に貼着される。この際、切離可能域６Ａ及び７Ａの延出方向の長さが、一般的な粘着テープの幅の半分以上となるように設けられていることで、第１破断誘導線６Ｌ１及び７Ｌ１は、粘着テープＴに覆われず、露出することとになる。
【００４２】
この粘着テープＴが貼着された段ボール箱１は、以下の手順により容易に開封することができる。まず、粘着テープＴにおける両上側外フラップ６及び７の突き合わせ部分と側壁４との間に貼着された一部分Ｔ１を、カッターナイフ等で切断する。なお、当該段ボール箱１は、上側外フラップ６及び７における切離可能域側の側縁に切り欠き６Ｂ及び７Ｂを有するため、粘着テープＴにおける一部分Ｔ１を切りやすい構造となっている。
【００４３】
図５に示されるように、段ボール箱１に貼られた粘着テープＴにおける一部分Ｔ１を切ると、切られた粘着テープＴ側の上側外フラップ６及び７が若干浮き上がることとなる。この浮き上がった隙間に手を差し込んで、切離可能域６Ａ及び７Ａをこれらの上に貼られた粘着テープＴと共に摘むことで粘着テープを引き剥がすことができる（図６参照）。
【００４４】
この際、段ボール箱１によれば、第１破断誘導線６Ｌ１及び７Ｌ１並びに第２破断誘導線６Ｌ２及び７Ｌ２が、ミシン目線で形成されているため、このミシン目線に沿って極めて容易に切離可能域を切り離すことができる。
【００４５】
なお、本考案の段ボール箱は上記実施形態に限定されず、例えば、用途等に応じて切離可能域を他の形状とすることができる。
【００４６】
例えば、図７に示す段ボール箱の上側外フラップ１７は、台形状の切離可能域１７Ａを有している。切離可能域１７Ａを形成する第１破断誘導線１７Ｌ１はミシン目線で、第２破断誘導線１７Ｌ２もミシン目線で形成されている。この段ボール箱によれば、切離可能域１７Ａが台形状を有していること、すなわち、第２破断誘導線１７Ｌ２を第１破断誘導線１７Ｌ１に対して斜めに設けることで、切離可能域１７Ａの切り離しやすさをより高めている。
【００４７】
図８に示す段ボール箱の上側外フラップ２７は、上述の各段ボール箱とは異なる切離可能域２７Ａを有している。この切離可能域２７Ａは、完全に切断された切断線からなる第１破断誘導線２７Ｌ１及びミシン目線からなる第２破断誘導線２７Ｌ２によって区切られている。この上側外フラップ２７を備える段ボール箱によれば、切離可能域を区切る第１破断誘導線を完全に切断された切断線とすることにより、上側外フラップの強度低下を若干犠牲にしつつ、切離可能域の切り離し容易性、ひいては、粘着テープの引き剥がし容易性をさらに高めることができる。
【００４８】
また、図９に示す段ボール箱の上側外フラップ３７は、上述の各段ボール箱とはさらに異なる切離可能域３７Ａを有している。この切離可能域３７Ａは、ミシン目線からなる第１破断誘導線３７Ｌ１及び中芯及び裏ライナが切断されて形成されるハーフカット線からなる第２破断誘導線３７Ｌ２によって区切られている。このように、破断誘導線をハーフカット線とすることによっても、本発明の目的を好適に達成することができる。
【００４９】
本考案のさらに異なる実施形態の段ボール箱として、切離可能域を上側外フラップの両端に２対設けたものもよい。このような段ボール箱によれば、上側外フラップのどちら側からも、容易に粘着テープを引き剥がすことが可能となる。さらには、切離可能域可能域を有する上側外フラップを底板として、すなわち上下を逆にして用いることもできる。
【００５０】
また、本発明の段ボール箱に用いられる段ボール紙としては、両面段ボール紙に限定されず、その他、波形状に形成された中しん原紙を１枚のライナに貼り合わせた片面段ボール紙、両面段ボール紙の片側に片面段ボール紙の段頂を貼り合わせた複両面段ボール紙、複両面段ボール紙の片側に片面段ボール紙の段頂を貼り合わせた複々両面段ボール紙等を用いてもよい。
【産業上の利用可能性】
【００５１】
以上のように、本考案の段ボール箱によれば、軽重量物商品等を収容・梱包し、粘着テープ、特に粘着力の高いＯＰＰテープ等の貼着によって一組の上面側外フラップが封緘される場合であっても開封しやすい段ボール箱として好適に用いられる。
【符号の説明】
【００５２】
１  段ボール箱
１ａ  中芯
１ｂ  表ライナ
１ｃ  裏ライナ
２    前壁
３    後壁
４、５  側壁
６、７、１７、２７、３７  上側外フラップ
６Ａ、７Ａ、１７Ａ、２７Ａ、３７Ａ  切離可能域
６Ｂ、７Ｂ  切り欠き
６Ｌ、７Ｌ  破断誘導線
６Ｌ１、７Ｌ１、１７Ｌ１、２７Ｌ１、３７Ｌ１  第１破断誘導線
６Ｌ２、７Ｌ２、１７Ｌ２、２７Ｌ２、３７Ｌ２  第２破断誘導線
８、９  上側内フラップ
１０、１１  下側外フラップ
１２、１３  下側内フラップ
１４  糊代部
Ｔ    粘着テープ
【図１】
0003160710.tif 000003
【図２】
0003160710.tif 000004
【図３】
0003160710.tif 000005
【図４】
0003160710.tif 000006
【図５】
0003160710.tif 000007
【図６】
0003160710.tif 000008
【図７】
0003160710.tif 000009
【図８】
0003160710.tif 000010
【図９】
0003160710.tif 000011